(57)【特許請求の範囲】
【請求項１】
底板と、該底板から立ち上がる左右一対の側板と、両側板間に位置する中央壁とを有して、各側板と中央壁との間に夫々人体の脚部を納めるための溝を備え、該溝を囲む面に上記脚部に対するマッサージ用の部材を配しているオットマンにおいて、
上記側板は伸縮自在で上記底板からの高さが可変であるとともに先端側に回動自在に連結された開閉板を各々備えており、
上記側板の伸縮に連動して回動する上記開閉板は、上記側板を伸ばした時に側板に添うことで上記両溝の開口部を開き、上記側板を縮めた時に、ほぼ平行に並ぶ上記両溝の開口部を覆って閉じて両側板間にほぼ平坦な面を形成するものであることを特徴とするオットマン。
【請求項２】
上記マッサージ用の部材が膨張収縮駆動されるエアバッグであることを特徴とする請求項１記載のオットマン。
【発明の詳細な説明】
【技術分野】
【０００１】
本発明は、オットマン、殊に人体の脚部に対するマッサージ機能を備えているオットマンに関するものである。
【背景技術】
【０００２】
脚部に対するマッサージ機能を備えたオットマンとして、一面に脚部を納めることができる２本の溝を備えているとともに、これら溝の内壁に膨張収縮駆動されるエアバッグを配し、溝内に使用者の脚部を納めた状態でエアバッグを膨張収縮させることで脚部における溝内に位置させている部分に対してマッサージを行うものが知られている。
【０００３】
しかし、この種のオットマンは、脚部を納めるだけの深さを持つ２つの溝が表面に存在しているために、嵩がかなり大きいものとなっている。
【０００４】
また、マッサージ用途としてではなく、脚部をくつろがせるための足置きとしては問題がある。
【特許文献１】特開２００４−２０８８８０号公報
【発明の開示】
【発明が解決しようとする課題】
【０００５】
本発明は上記の従来の問題点に鑑みて発明したものであって、脚部に対するマッサージを行わない時の嵩を小さくすることができるオットマンを提供することを課題とするものであり、また脚部に対してマッサージを行うことができる上に、脚部をくつろがせることもできるオットマンを提供することを課題とするものである。
【課題を解決するための手段】
【０００６】
上記課題を解決するために本発明に係るオットマンは、底板と、該底板から立ち上がる左右一対の側板と、両側板間に位置する中央壁とを有して、各側板と中央壁との間に夫々人体の脚部を納めるための溝を備え、該溝を囲む面に上記脚部に対するマッサージ用の部材を配しているオットマンにおいて、上記側板は伸縮自在で上記底板からの高さが可変であるとともに先端側に回動自在に連結された開閉板を各々備えており、上記側板の伸縮に連動して回動する上記開閉板は、上記側板を伸ばした時に側板に添うことで上記両溝の開口部を開き、上記側板を縮めた時に、ほぼ平行に並ぶ上記両溝の開口部を覆って閉じて両側板間にほぼ平坦な面を形成するものであることに特徴を有している。
【０００７】
側板の底板からの高さを変えることで、つまりは溝の深さを変えることで嵩を変化させることができ、しかも嵩を小さくした時には溝の開口部が開閉板で覆われてほぼ平坦な面が形成されるために、足をくつろがせることができるようにしたものである。
【０００８】
上記マッサージ用の部材は膨張収縮駆動されるエアバッグであることが好ましい。マッサージ用の部材が側板の伸縮構造に関して問題を与えてしまうことがないものを得ることができる。
【発明の効果】
【００１０】
本発明は、側板を伸縮させることができるために、マッサージを行う時には脚部を納めてしまうことができる深さのある溝を有するものとし、マッサージを行わない時には側板を縮めて嵩を低くすることができるものであり、このために収納性が良くなる上に邪魔になる虞を低くすることができる。
【００１１】
しかも側板を縮めた時に開閉板が溝の開口部を覆ってほぼ平坦な面を形成することから、溝に脚部の位置が制限されてしまうことないために脚部をくつろがせることもできるものであり、またこの時には溝が開閉板で閉じられてシンプルな外観形状となるために、足を引っかけてしまう虞が小さくなると同時に、室内に設置するものとして体裁もよいものである。
【発明を実施するための最良の形態】
【００１２】
以下、本発明を添付図面に示す実施形態に基づいて説明すると、図示例のオットマンは、底板２の左右両端から一対の側板３，３を立ち上げるとともに左右方向中央から中央壁４を立ち上げて、各側板３，３と中央壁４との間にほぼ平行に並ぶ溝５，５を夫々設けたもので、ここにおける側板３，３は、固定ガイド部３０とこの固定ガイド部３０の三方外面を囲む断面コ字形のスライド部３１とからなるものであるとともに、中央壁４側に開閉板３２が取り付けられたものとなっている。
【００１３】
固定ガイド部３０は上記底板２に固定されたものであるのに対し、スライド部３１は固定ガイド部３０に対してスライド自在となっているもので、底板２もしくは固定ガイド部３０に一端を連結しているレイジートング６の他端がスライド部３１に連結されており、該レイジートング６を伸縮させれば、スライド部３１は固定ガイド部３０に対してスライドし、この結果、側板３は伸縮して底板２からの側板３の高さが変化する。
【００１４】
なお、側板３の底板２からの高さは、側板３を縮めた時に中央壁４の底板２からの高さとほぼ同じとなり、側板３を伸ばした時には中央壁４の上記高さよりも高くなる。
【００１５】
レイジートング６の伸縮は、モータ（図示せず）によって回転駆動されるねじ軸６５の正ねじ部と逆ねじ部とに夫々螺合するナット（図示せず）をレイジートング６の対となる軸部６０，６０に設けて、ねじ軸６５を回転させて軸部６０，６０間の間隔を変更することにより行うものとなっている。
【００１６】
そして開閉板３２は側板３におけるスライド部３１の端部に軸３３で連結されることでスライド部３１に対して回動自在となっているものであるとともに、一端が開閉板３２に軸３４によって連結されているリンク３５の他端が固定ガイド部３０に回動自在に連結されており、該リンク３５の存在により、側板３が伸びて底板２からの高さが高くなる時、図３に示すように、開閉板３２は側板３の中央壁４側の面に添う状態となり、側板３を縮めた時には開閉板３はリンク３５によって押し広げられ、図２に示すように溝５の開口部を覆う。
【００１７】
側板３の伸縮に伴って開閉板３２が回動し、側板３を高くした時には溝５が現れ、側板３を低くした時には溝５が開閉板３２で閉じられて両側板３，３間にほぼ平坦な面が形成されるものである。
【００１８】
ここにおいて、開閉板３２の表面と、中央壁４の左右の側面とにはマッサージ用のエアバッグ７が夫々配設されている。図示していないエアポンプと給排気弁とによるエアの供給と排気とによって膨張収縮する上記エアバッグ７はマッサージ用のものであり、側板３を伸ばすことで溝５の開口部を開いた状態で人体の脚部を溝５内に納め、この状態でエアバッグ７を膨張収縮させれば、エアバッグ７は脚部における溝５内に位置する部分を圧迫したり開放したりしてマッサージを行う。
【００１９】
側板３を縮めた時には上述のように溝５が開閉板３２によって閉じられて開閉板７のエアバッグ７が配されている面がオットマンの表面にほぼ平坦な面を形成するものであり、このために人体の脚部は溝５によって規制されることなく無関係にオットマンの表面に置くことができる。この時、側板３は縮んで底板２からの高さも低くなっているために、マッサージをしない時のオットマンの高さを抑えることができる。
【００２０】
図４は上記オットマン１を椅子８の座部８０の前部側に上下に回動自在に配設して、図に示している座部８０の前端から下方に垂れ下がる状態と、座部８０の前方にほぼ水平に位置する状態（図示せず）とを切り換えることができるようにしたものを示している。
【００２１】
図４(a)に示すように、側板３を縮めて高さを低くしておけば、側板３が邪魔になることなく椅子８に座ったり椅子８から立ち上がることができ、この状態からオットマンを座部８０の前方にほぼ水平状態になるまで回動させれば、椅子８に座る使用者はオットマンのほぼ平坦な面の上に足を置くことができ、溝５によって足の位置が規制されることがないくつろいだ状態を得ることができる。
【００２２】
また、側板３を伸ばせば、図４(b)に示すようにそれまで開閉板３２で覆われていた溝５が出現し、該溝５に脚部を入れて溝５の内壁に位置するエアバッグ７を膨張収縮させることで脚部に対するマッサージを得ることができる。
【００２３】
なお、図４においては、開閉板３２とその表面に配されたエアバッグ７、中央壁７とその両側面のエアバッグ７，７、側板３、底板２を夫々布製のカバー１５で覆っている。
【００２４】
マッサージ用の部材として膨張収縮するエアバッグ７を備えたものを示したが、このエアバッグ７に限るものではなく、溝５に納めた人体の脚部に対してマッサージを行うことができるものであればよい。
【００２５】
もっとも、上記実施例における開閉板３２を備えていないものにおいては、側板３にマッサージ用の部材を配置することになるとともに、この時、側板７を伸縮させることについての制限を与えにくいものとする必要があり、この点において、エアバッグ７は好適である。
【００２６】
また、ここでは側板３を伸縮自在なものとするとともに側板３の伸縮に伴って開閉板３が溝５を開く位置と溝５を閉じる位置とを切り換えるものを示したが、側板３の伸縮に開閉板３２が連動しないものであってもよく、更には開閉板３２を持たないものであってもよい。
【図面の簡単な説明】
【００２７】
【図１】本発明の実施の形態の一例の斜視図である。
【図２】同上の溝を閉じた状態の斜視図である。
【図３】同上の溝を開いた状態の斜視図である。
【図４】(a)(b)は夫々椅子に連結した状態のものを示す斜視図である。
【符号の説明】
【００２８】
１  オットマン
２  底板
３  側板
４  中央壁
５  溝
７  エアバッグ
３２  開閉板
【図１】
0005010525.tif 000002
【図２】
0005010525.tif 000003
【図３】
0005010525.tif 000004
【図４】
0005010525.tif 000005